(57)【特許請求の範囲】
【請求項１】
冷媒ガスが排出される冷媒吐出孔を有する弁プレートと、
一端が前記弁プレートに固定され、他端が前記冷媒吐出孔を開閉させる吐出弁と、
該吐出弁を保持するよう前記弁プレートに一端が固定されるストッパと、
該ストッパと所定間隔離隔されるようそのストッパの上部に設けられ、前記弁プレートに固定されるキーパと、
前記吐出弁が開くときの前記ストッパの動作を緩衝する緩衝手段とを有し、
該緩衝手段は、
該キーパに設けられ、前記吐出弁が開くときの前記ストッパの動作を緩衝する第１緩衝手段と、
前記キーパに往復昇降されるよう設けられ、前記第１緩衝手段と共に前記吐出弁が開くときの前記ストッパの動作を緩衝する第２緩衝手段とよりなり、
前記第１緩衝手段は、前記キーパの下側に設けられるバネと、該バネに保持され前記ストッパとの接触によりそのストッパを緩衝させる緩衝板とを有する構成であり、
前記第２緩衝手段は、
前記キーパに設けられるエアシリンダと、一端は前記緩衝板に結合され、他端は前記シリンダ内で往復動するよう結合されるピストンとを備えた構成であることを特徴とする密閉型圧縮機の弁装置。
【発明の詳細な説明】
【０００１】
【発明の属する技術分野】
本発明は密閉型圧縮機の弁装置に係り、さらに詳しくは冷媒の吐出効率を向上させ磨耗発生を減らせるようにした密閉型圧縮機の弁装置に関する。
【０００２】
【従来の技術】
一般に、密閉型圧縮機は往復動圧縮機、リニア圧縮機、ロータリ圧縮機などがある。これら圧縮機の殆んどは冷媒の圧縮室への出入のための弁装置を備えている。
【０００３】
このような密閉型圧縮機のうち従来の往復動圧縮機の弁装置が図１に示されている。図１を参照するに、圧縮機の弁装置は、圧縮機のシリンダブロック(図示せず)とシリンダヘッドとの間に設けられ、冷媒吐出孔１０ａを有する弁プレート１０と、弁プレート１０に設けられる吐出弁１１と、ストッパ１３、及びキーパ１５とを備える。
【０００４】
吐出弁１１とストッパ１３は弁プレート１０の外面に一端が結合され、ストッパ１３は吐出弁１１の長さよりやや長く形成される。そしてキーパ１５はストッパ１３の上側に置かれる。キーパ１５は、ストッパ１３がキーパ１５に密着されることを防止するよう、上側に隆起され形成される。従って、ストッパ１３の自由端はキーパ１５の隆起部分の直前の折曲部分と接する。圧縮機の作動時ストッパ１３はその自由端が常にキーパ１５の折曲部分にぶつかる。
【０００５】
前述した構成において、圧縮機の駆動時ピストン(図示せず)により圧縮された冷媒ガスは前記冷媒吐出孔１０ａ介して排出される。この際、吐出される冷媒ガスの圧力により吐出弁１１が強く開きながらストッパ１３とぶつかる。再び、ストッパ１３は吐出圧力により中央部が曲線を描きながらキーパ１５に繰り返してぶつかる。この際、ストッパ１３の自由端がキーパ１５の折曲部分にかかりながら吐出弁１１が大きく動くことを抑えることにより吐出力及び騒音を減らす。すなわち、圧縮機の駆動時弁装置の吐出力及び騒音の大きさはキーパ１５の高さ(ｈ)を調節することにより制御可能であり、また冷媒吐出孔１０ａの大きさ調節として制御可能になる。
【０００６】
ところが、前述したような弁装置はキーパ１５と吐出弁１１が固定されているため、相互間の高低調節が不可能である。この場合、冷媒ガスの吐出圧力により、吐出弁１１がオープンできる適正ポイントを探し難いという問題点がある。
【０００７】
また、排気量による弁プレート１０に形成される冷媒吐出孔１０ａのサイズは多様なので、均一なサイズの冷媒吐出孔１０ａが形成された弁プレート１０を生産できず、多様な仕様の弁プレート１０を生産すべき問題点がある。
【０００８】
【発明が解決しようとする課題】
本発明は前述したような従来の問題点を改善するために案出されたもので、その目的は排気量と冷媒吐出圧力により弁の高さを自由に調節するよう構造が改善された密閉型圧縮機の弁装置を提供するところにある。
【０００９】
【課題を解決するための手段】
前述したような目的を達成するための本発明に係る密閉型圧縮機の弁装置は、冷媒ガスが排出される冷媒吐出孔を有する弁プレートと、一端が前記弁プレートに固定され、他端が前記冷媒吐出孔を開閉させる吐出弁と、該吐出弁を保持するよう前記弁プレートに一端が固定されるストッパと、該ストッパと所定間隔離隔されるようそのストッパの上部に設けられ、前記弁プレートに固定されるキーパと、該キーパに設けられ前記ストッパの開閉動作を緩衝する第１緩衝手段と、前記キーパに往復昇降されるよう設けられ、前記第１緩衝手段と共に前記ストッパの開閉動作を緩衝する第２緩衝手段とを備えることを特徴とする。
【００１０】
ここで、前記第１緩衝手段は、前記キーパの下側に設けられるバネと、該バネに保持され前記ストッパとの接触によりそのストッパを緩衝させる緩衝板とを備えることが望ましい。
【００１１】
また、前記第２緩衝手段は、前記キーパに設けられるシリンダと、一端は前記第１緩衝手段に連結され、他端は前記シリンダ内で往復動するピストンを備えることが望ましい。そして、前記シリンダはエアシリンダであることが望ましい。
【００１２】
【発明の実施の形態】
以下、添付した図面に基づき本発明の実施例をさらに詳述する。
【００１３】
図２を参照するに、本発明の実施例による弁装置は、冷媒ガスが排出される冷媒吐出孔２１を有する弁プレート２０と、弁プレート２０に設けられる吐出弁３０と、ストッパ４０と、キーパ５０と、キーパ５０に設けられる第１緩衝手段６０及び第２緩衝手段７０とを備える。
【００１４】
弁プレート２０は、シリンダブロック(図示せず)とシリンダヘッドとの間に設けられる。図においては弁プレート２０の下側にシリンダブロックが結合され、上部にシリンダヘッドが結合される。従って、シリンダブロックのシリンダ室で圧縮された冷媒ガスが前記冷媒吐出孔２１を介して上部、すなわちシリンダヘッドの冷媒吐出室に吐出される。
【００１５】
吐出弁３０は、一端は弁プレート２０に固定され、他端は冷媒吐出孔２１を開閉させる。
【００１６】
ストッパ４０は、吐出弁３０を保持するよう一端が弁プレート２０に固定される。すなわち、ストッパ４０は一端が吐出弁３０と共に弁プレート２０に固定され、他端は吐出弁３０を保持する。ストッパ４０は吐出弁３０よりさらに長い長さを有する。
【００１７】
キーパ５０は、一端が弁プレート２０に固定され、ストッパ４０の上部に設けられる。キーパ５０はストッパ４０と所定間隔離隔されるよう上方に隆起した構成を有する。すなわち、キーパ５０の一端はストッパ４０と吐出弁３０と共に固定ピン２３により弁プレート２０に固定される。
【００１８】
第１緩衝手段６０は、キーパ５０に設けられストッパ４０の開閉動作を緩衝する。第１緩衝手段６０は、図３に示した通り、キーパ５０の下側に設けられるバネ６１と、バネ６１に保持される緩衝板６３を備える。緩衝板６３は吐出弁３０のオープン動作により上部に押されるストッパ４０を接触支持して衝撃を吸収し、吐出弁３０のオープン高さを制御する。
【００１９】
第２緩衝手段７０は、キーパ５０に設けられるシリンダ７１と、シリンダ７１に往復動自在に設けられるピストン７３を備える。シリンダ７１は、一端がキーパ５０に固定される。シリンダ７１はキーパ５０に形成されたエア室５１を含んでキーパ５０の下側にパイプ状に延びる。エア室５１の上部はキーパ５０の上部に結合されるカバー５３により閉塞されている。このシリンダ７１の外側にはバネ６１が結合される。このようなシリンダ７１はエアシリンダであることが望ましい。
【００２０】
ピストン７３は、一端である緩衝板６３に結合され、他端はシリンダ７１内に往復動自在に結合される。このピストン７３はストッパ４０が緩衝板６３にぶつかって発生する衝撃により圧縮されながら衝撃を吸収する。すなわち、ストッパ４０で緩衝板６３に伝わる衝撃は１次的にバネ６１により緩衝され、２次的にはピストン７３の昇降運動により緩衝される。
【００２１】
前述したような構成を有する本発明の実施例による密閉型圧縮機の弁装置の動作を詳細に説明する。
【００２２】
まず、図３の状態において、圧縮機の作動時冷媒吐出孔２１を介して冷媒ガスが所定圧力で排出されながら吐出弁３０を上部に押し出す。すると、図４に示した通り、吐出弁３０がストッパ４０にぶつかる。そして、ストッパ４０は緩衝板６３にぶつかる。すると、緩衝板６３は上部に押し上がりながらバネ６１により１次的に衝撃が緩和される。そして、その緩衝板６３に結合されたピストン７３が押し上がりながらシリンダ７１内の空気を圧縮させ、緩衝板６３に伝わる吐出弁３０の衝撃を２次的に吸収する。この際、ストッパ４０が上がる高さは冷媒吐出孔２１に排出される冷媒ガスの圧力により適切に調節されることにより、吐出弁３０の開閉量を自動に調節できる。従って、冷媒吐出孔２１がサイズを問わず吐出弁３０のオープン状態が自動に制御され、排気量による多様なサイズの冷媒吐出孔を有する多様な弁装置を準備する必要がなくなる。
【００２３】
また、吐出弁３０が開く瞬間圧力により吐出弁３０とストッパ４０が緩衝板６３に当りながら瞬間的に発生する高周波騒音をバネ６１とピストン７３が吸収して緩和させることにより低騒音にすることができる。
【００２４】
【発明の効果】
以上述べた通り、本発明に係る密閉型往復動式圧縮機の吐出弁装置によれば、バネとピストンの緩衝作用によりキーパの高低調節をせず吐出弁の開閉程度を自動に調節できる。従って、弁プレートの冷媒吐出孔の仕様を一種類に標準化して費用を低減させうる利点がある。
【００２５】
また、吐出弁が開きながら生ずる高周波騒音をバネとピストンの緩衝作用により緩和させ低騒音に変換させうる利点がある。
【図面の簡単な説明】
【図１】一般の密閉型圧縮機の弁装置を示した概略的な断面図である。
【図２】本発明の実施例による密閉型圧縮機の弁装置を示した概略的な部分断面図である。
【図３】図２のＡ部分拡大図である。
【図４】図２に示した弁装置の動作を説明するための図である。
【符号の説明】
２０  弁プレート
２１  冷媒吐出孔
２３  固定ピン
３０  吐出弁
４０  ストッパ
５０  キーパ
５１  エア室
５３  カバー
６０  第１緩衝手段
６１  バネ
６３  緩衝板
７０  第２緩衝手段
７１  シリンダ
７３  ピストン
【図１】
0003706340.tif 000002
【図２】
0003706340.tif 000003
【図３】
0003706340.tif 000004
【図４】
0003706340.tif 000005